(57)【要約】      （修正有）【課題】自動車のランプ構造の設計を簡素化し、生産コストを大幅に削減でき、組み立ての利便性を向上させることができ、使用上、より優れた安全性の警告を行うことができ、全体の使用において、実用性および利便性を増加させる自動車照明構造を提供する。【解決手段】主にライト１内に、自動車のライトの色に対応する多色発光ダイオード、例えば赤ランプゾーン、黄ランプゾーンの多色発光ダイオード又は赤ランプゾーン、黄ランプゾーンおよび白ランプゾーンの多色発光ダイオードを備える複数の発光源２を有し、さらにライトの外側に透光性ライトカバー１４を設ける。これにより、当該発光源の赤ランプゾーンおよび黄ランプゾーン又は赤ランプゾーン、黄ランプゾーンおよび白ランプゾーンから直接、異なる走行状態に応じて、必要な赤色光線および黄色光線又は赤色光線、黄色光線および白色光線を点灯させることができる。【選択図】図１
0003166423.tif 000002
【実用新案登録請求の範囲】
【請求項１】
ライト（１）内に複数の発光源（２）が設けられ、ライト（１）の外側にさらに透光性ライトカバー（１４）が設けられる、自動車照明構造であって、
前記発光源（２）は自動車照明に対応する色を備える多色発光ダイオードである、自動車照明構造。
【請求項２】
前記発光源（２）は赤ランプエリア（２１）、黄ランプエリア（２２）および白ランプエリア（２３）を備える多色発光ダイオードである、
請求項１に記載の自動車照明構造。
【請求項３】
前記ライト（１）内には、それぞれ発車/停車ランプエリア（１１）、方向指示ランプエリア（１２）およびバックランプエリア（１３）が設けられる、
請求項２に記載の自動車照明構造。
【請求項４】
前記発光源（２）は赤ランプエリア（２１）および黄ランプエリア（２２）を備える多色発光ダイオードである、
請求項１に記載の自動車照明構造。
【請求項５】
前記ライト（１）内には、それぞれ発車/停車ランプエリア（１１）および方向指示ランプエリア（１２）が設けられる、
請求項４に記載の自動車照明構造。
【考案の詳細な説明】
【技術分野】
【０００１】
本考案は自動車の照明構造（自動車の照明装置の構造）に関し、特に構造設計を簡素化でき、生産コストを大幅に削減できるだけでなく、組み立ての利便性を向上させることができ、使用上、より優れた警告を行える安全性を備えることができることにより、全体の使用の際、実効性をさらに増加させる自動車のライト構造の新たなデザインに関する。
【背景技術】
【０００２】
一般的に、三原色を発光できる発光ダイオードを光源として用いるライトが見られる。当該ライトは車輌の後端に設置され、配列して設置された三原色を発光することのできる多くの発光ダイオードの外面には、当該発光ダイオードの三原色の光混合により必要な赤、黄、白の光を発するように、透光性のライトカバーが設けられており、構造が簡単で、組み立てしやすく、製造コストを削減でき、走行の安全性を確保するという目的を達することができる。
【考案の概要】
【考案が解決しようとする課題】
【０００３】
しかしながら、上記ライトは構造が簡単で、組み立てしやすく、製造コストを削減するという予期された効果を達しているが、実際の操作および使用において、当該構造が三原色を発光することができる発光ダイオードを利用して、異なる輝度で必要な赤、黄、白の３種類の異なる色の光線を混合するため、混合された光線全体の輝度が不足し、混合された色の光線が不均一になることがわかっている。また、発光ダイオード内の三原色の設置される位置の違いや発光角度の違いにより、異なる角度から見た場合に、色差の状況が発生しやすく、現行の交通法規の要求を満たすことが難しくなり、使用上、走行の安全性の問題を生じる恐れがある。そのため、その全体的な構造において、なお改善の余地が認められている。
【課題を解決するための手段】
【０００４】
本考案の自動車照明構造は、主にライト内に、自動車の照明の色に対応する多色発光ダイオード、例えば赤ランプエリア、黄ランプエリアの多色発光ダイオード又は赤ランプエリア、黄ランプエリアおよび白ランプエリアの多色発光ダイオードを備える複数の発光源を有し、さらにライトの外側に透光性のライトカバーを設ける。これにより、当該発光源の赤ランプエリアおよび黄ランプエリア又は赤ランプエリア、黄ランプエリアおよび白ランプエリアから直接、異なる走行状態に応じて、必要な赤色光線および黄色光線又は赤色光線、黄色光線および白色光線を点灯させることができる。
【考案の効果】
【０００５】
これにより、自動車照明構造の設計を簡素化し、生産コストを大幅に削減できるだけでなく、組み立ての利便性を向上させることができ、使用上、より優れた安全性の警告を行うことができ、全体の使用において、実用性および利便性を増加させることができる。
【図面の簡単な説明】
【０００６】
【図１】本考案における全体構造のイメージ図。
【図２】本考案における別の全体構造のイメージ図。
【図３】本考案における発光源の構造図。
【図４】本考案における別の実施例の全体構造のイメージ図。
【図５】本考案における別の実施例の発光源の構造図。
【図６】本考案における組み立て状態図。
【図７】本考案における別の組み立て状態図。
【考案を実施するための形態】
【０００７】
まず、図１の本考案における全体構造のイメージ図および図２の本考案における全体構造の別のイメージ図に示すように、本考案は主に、ライト（１）内にそれぞれ発車/停車ランプエリア（１１）、方向指示ランプエリア（１２）およびバックランプエリア（１３）が設置され、ライト（１）内には各ランプエリアに対応して複数の発光源（２）が設けられており、ライト（１）の外側には透光性のライトカバー（１４）が設けられており、当該発光源（２）は自動車照明に対応する色を有する多色発光ダイオードである。
【０００８】
また、図３の本考案における発光源の構造図に示すように、当該発光源（２）は赤ランプエリア（２１）、黄ランプエリア（２２）および白ランプエリア（２３）を有する多色発光ダイオードである。
これにより、本考案は操作および使用時に、運転手の制御により、当該ライト（１）が発車又は停車、方向転換、後退時に、相応の発車/停車ランプエリア（１１）、方向指示ランプエリア（１２）およびバックランプエリア（１３）に相応の赤ランプ、黄ランプおよび白ランプを点灯させることができる。すなわち、夜間走行時には、当該ライト（１）の発車/停車ランプエリア（１１）が発光源（２）の赤ランプエリア（２１）に普通の赤色光線を点灯させ、停車時には、当該ライト（１）の発車/停車ランプエリア（１１）が発光源（２）の赤ランプエリア（２１）に、より強い赤色光線を点灯させ、方向転換時には、当該ライト（１）の方向指示ランプエリア（１２）が発光源（２）の黄ランプエリア（２２）に黄色光線を点灯させ、後退時には、当該ライト（１）のバックランプエリア（１３）が発光源（２）の白ランプエリア（２３）に白色光線を点灯させる。
【０００９】
また、本考案は操作および使用上、単純に各ランプエリアから相応の必要な色の光線を発光できるだけでなく、異なる走行状態において、異なるランプエリアから同じ色の光線を発光できる。例えば、停車時には、ライト（１）の発車/停車ランプエリア（１１）、方向指示ランプエリア（１２）およびバックランプエリア（１３）が同時に発光源（２）の赤ランプエリア（２１）に、より強烈な赤色光線を点灯させることができ、方向転換時には、ライト（１）の方向指示ランプエリア（１２）およびバックランプエリア（１３）が同時に発光源（２）の黄ランプエリア（２２）に黄色光線を点灯させることができ、走行上、より良い安全性が得られる。
【００１０】
また、図４の本考案における別の実施例の全体構造イメージ図に示すように、本考案はライト（１）内に、それぞれ発車/停車ランプエリア（１１）および方向指示ランプエリア（１２）を設置することができ、且つ発車/停車ランプエリア（１１）および方向指示ランプエリア（１２）内に設けられた発光源（２）を赤ランプエリア（２１）および黄ランプエリア（２２）を有する多色発光ダイオードとし（図５の本考案における別の実施例の発光源構造図を参照）、さらにライト（１）の外側に透光性ライトカバー（１４）を設けることにより、同様に従来の発光警告効果を得ることができる。
【００１１】
さらに、本考案を車輌の組み立てに適用する場合、当該ライト（１）を一般の自動車照明として、車輌の予め決められた設置位置に設置することができるだけでなく、図６の本考案における組み立て状態の図および図７の本考案における別の組み立て状態の図に示すように、車輌の改造照明として、当該ライト（１）を車輌の側面又は車輌のパンパー上に設置して、走行の安全性を向上させることもできる。
【００１２】
以上のように、本考案の構造の組成および使用の具体的な説明により、本考案は従来の構造に比べ、主に当該発光源の赤ランプエリアおよび黄ランプエリア又は赤ランプエリア、黄ランプエリアおよび白ランプエリアから直接、異なる走行状態に応じて、必要な赤色光線および黄色光線又は赤色光線、黄色光線および白色光線を点灯させることができ、さらに自動車照明構造の設計を簡素化し、生産コストを大幅に削減できるだけでなく、組み立ての利便性を向上させることができ、使用上、より優れた安全性の警告を行うことができ、全体の使用において、実用性および利便性を増加させることができることがわかる。
【符号の説明】
【００１３】
１・・・・・・ライト
２・・・・・・発光源
１１・・・・・発車/停車ランプエリア
１２・・・・・方向指示ランプエリア
１３・・・・・バックランプエリア
１４・・・・・透光性ライトカバー
２１・・・・・赤ランプエリア
２２・・・・・黄ランプエリア
２３・・・・・白ランプエリア
【図１】
0003166423.tif 000003
【図２】
0003166423.tif 000004
【図３】
0003166423.tif 000005
【図４】
0003166423.tif 000006
【図５】
0003166423.tif 000007
【図６】
0003166423.tif 000008
【図７】
0003166423.tif 000009